(57)【特許請求の範囲】
【請求項１】
記録媒体に記録されている画像の中から、始点画像と終点画像を指定する範囲指定手段と、
画像の種別を指定する画像種別指定手段と、
前記範囲指定手段で指定された範囲の画像のうち、前記画像種別指定手段で指定された種別の画像を選択するように制御する制御手段と、を有し、
第１のモード及び第２のモードにおいて、画像の選択が可能であり、
前記画像種別指定手段により指定可能な画像の種別は、前記第１のモードと前記第２のモードで異なることを特徴とする電子機器。
【請求項２】
前記第１のモードでは、前記画像種別指定手段による画像の種別を指定可能とし、前記第２のモードでは、前記前記画像種別指定手段による画像の種別を指定不可とすることを特徴とする請求項１に記載の電子機器。
【請求項３】
前記画像種別指定手段は、所定の種別の画像を含めるか否かを指定可能であり、
前記制御手段は、前記画像種別指定手段により前記所定の画像を含めると指定された場合は、前記範囲指定手段で指定された範囲の画像を選択し、前記画像種別指定手段により前記所定の画像を含めないと指定された場合は、前記範囲指定手段で指定された範囲の画像のうち、前記所定の種別の画像を除いた画像を選択するように制御することを特徴とする請求項１または２に記載の電子機器。
【請求項４】
前記範囲指定手段により始点画像と終点画像を指定するための始点／終点画像選択画面を表示する選択画面表示手段を有することを特徴とする請求項１乃至３のいずれか１項に記載の電子機器。
【請求項５】
前記選択画面表示手段は、前記始点／終点画像選択画面において、前記記録媒体に記録されている画像の中から、前記画像種別指定手段により指定された種別の画像のみを表示することを特徴とする請求項４に記載の電子機器。
【請求項６】
前記選択画面表示手段は、前記第１のモードと前記第２のモードとで、前記始点／終点画像選択画面において前記記録媒体に記録されている画像のうち表示される画像を異ならせることを特徴とする請求項４または５に記載の電子機器。
【請求項７】
前記範囲指定手段で指定した始点画像と終点画像を表示する画像表示手段をさらに有し、
前記画像種別指定手段は、前記始点画像と前記終点画像の表示されている画面において画像の種別を指定する操作を受付け可能であることを特徴とする請求項１乃至６のいずれか１項に記載の電子機器。
【請求項８】
前記画像の種別は、動画像、動画像の記録時間の長さ、画像ファイルサイズ、静止画のいずれかにより分けられることを特徴とする請求項１乃至７のいずれか１項に記載の電子機器。
【請求項９】
前記第１のモードにおいては、複数の種別の画像に対して所定の処理を行うことが可能であり、
前記第２のモードにおいては、１つの種別の画像に対して前記所定の処理が行われることを特徴とする請求項１乃至８のいずれか１項に記載の電子機器。
【請求項１０】
前記第１のモードにおいては、複数の種別の画像に対して所定の処理を行うことが可能であり、
前記第２のモードにおいては、前記所定の種別の画像に対して前記所定の処理が行われることを特徴とする請求項３乃至８のいずれか１項に記載の電子機器。
【請求項１１】
前記所定の種別は、動画であることを特徴とする請求項３に記載の電子機器。
【請求項１２】
前記第１のモードと、前記第２のモードとでは、前記制御手段により選択された画像の送信先が異なることを特徴とする請求項１乃至１１のいずれか１項に記載の電子機器。
【請求項１３】
前記制御手段は、選択した画像に対して同一の処理を行うことを特徴とする請求項１乃至１２のいずれか１項に記載の電子機器。
【請求項１４】
前記同一の処理は、送信、削除、保護、回転、印刷、スライドショーであることを特徴とする請求項１３に記載の電子機器。
【請求項１５】
記録媒体に記録されている画像の中から、始点画像と終点画像を指定する範囲指定工程と、
画像の種別を指定する画像種別指定工程と、
前記範囲指定工程で指定された範囲の画像のうち、前記画像種別指定工程で指定された種別の画像を選択するように制御する制御工程と、を有し、
第１のモード及び第２のモードにおいて、画像の選択が可能であり、
前記画像種別指定工程により指定可能な画像の種別は、前記第１のモードと前記第２のモードで異なることを特徴とする電子機器の制御方法。
【請求項１６】
コンピュータを、請求項１乃至１４のいずれか１項に記載の電子機器の各手段として機能させるためのプログラム。
【請求項１７】
コンピュータを、請求項１乃至１４のいずれか１項に記載の電子機器の各手段として機能させるためのプログラムを格納したコンピュータが読み取り可能な記憶媒体。
【発明の詳細な説明】
【技術分野】
【０００１】
本発明は電子機器及び電子機器の制御方法に関し、特に、処理対象となる複数の画像を選択するために用いて好適な技術に関する。
【背景技術】
【０００２】
近年、記録媒体の進歩により大量の画像を記録できるようになった。そのため、記録媒体に記録されている画像の範囲を指定して、その範囲に含まれる画像に対して同一の処理を行う画像管理装置が提案されている（特許文献１）。
【先行技術文献】
【特許文献】
【０００３】
【特許文献１】特開２００９−４３１５０号公報
【発明の概要】
【発明が解決しようとする課題】
【０００４】
しかしながら、特許文献１記載の画像管理装置では、指定した範囲に含まれている画像すべてに対して処理が行われていた。そのため、たとえば指定した範囲の静止画のみに対して処理を行い、ファイルサイズが大きくなる動画像に対しては処理を行わないといった、特定の条件を持つ画像のみを選択して処理を行うことができなかった。
本発明は前述の問題点に鑑み、範囲指定によって複数の画像を一括して選択する際に、範囲に含まれる画像のうち、特定の条件を持つ画像に対してのみ処理を行うことができるようにすることを目的とする。
【課題を解決するための手段】
【０００５】
本発明の電子機器は、記録媒体に記録されている画像の中から、始点画像と終点画像を指定する範囲指定手段と、画像の種別を指定する画像種別指定手段と、前記範囲指定手段で指定された範囲の画像のうち、前記画像種別指定手段で指定された種別の画像を選択するように制御する制御手段と、を有し、第１のモード及び第２のモードにおいて、画像の選択が可能であり、前記画像種別指定手段により指定可能な画像の種別は、前記第１のモードと前記第２のモードで異なることを特徴とする。
【発明の効果】
【０００６】
本発明によれば、範囲を指定した画像のうち、特定の条件を持つ画像に対してのみ処理を行うことが可能となる。
【図面の簡単な説明】
【０００７】
【図１】実施形態に係る電子機器の一例としてのデジタルカメラの外観図である。
【図２】実施形態に係るデジタルカメラの構成例を示すブロック図である。
【図３】実施形態に係るデジタルカメラの再生処理の手順を説明するフローチャートである。
【図４】デジタルカメラの画像投稿先の選択画面の一例を示す図である。
【図５】デジタルカメラの画像選択方法を決定する画面の一例を示す図である。
【図６】デジタルカメラの範囲指定処理の手順を説明するフローチャートである。
【図７】（ａ）、（ｂ）は範囲指定画面の一例を示し、（ｃ）は始点画像選択画面の一例を示す図である。
【発明を実施するための形態】
【０００８】
以下、図面を参照して本発明の好適な実施形態を説明する。
図１に、本発明に係る電子機器の一例としてのデジタルカメラ１００の外観図を示す。
表示部２８は、画像や各種情報を表示する表示部である。シャッターボタン６１は撮影指示を行うための操作部である。モード切替スイッチ６０は各種モードを切り替えるための操作部である。コネクタ１１２は、パーソナルコンピュータやプリンタなどの外部機器と接続するための接続ケーブル１１１とデジタルカメラ１００とのコネクタである。
【０００９】
操作部７０はユーザーからの各種操作を受け付ける各種スイッチ、ボタン、タッチパネル等の操作部材よりなる操作部である。
コントローラホイール７３は、操作部７０に含まれる回転操作可能な操作部材である。電源スイッチ７２は、電源オン、電源オフを切り替えるための押しボタンである。
記録媒体２００は、メモリカードやハードディスク等の記録媒体である。記録媒体スロット２０１は、記録媒体２００を格納するためのスロットである。記録媒体スロット２０１に格納された記録媒体２００は、デジタルカメラ１００との通信が可能となり、記録や再生が可能となる。蓋２０２は、記録媒体スロット２０１の蓋である。図１においては、蓋２０２を開けて記録媒体スロット２０１から記録媒体２００の一部を取り出して露出させた状態を示している。
【００１０】
図２は、本実施形態に係るデジタルカメラ１００の構成例を示すブロック図である。
図２において、撮影レンズ１０３は、ズームレンズ、フォーカスレンズを含むレンズ群である。シャッター１０１は、絞り機能を備えるシャッターである。撮像部２２は、光学像を電気信号に変換するＣＣＤやＣＭＯＳ素子等で構成される撮像素子である。
【００１１】
Ａ／Ｄ変換器２３は、アナログ信号をデジタル信号に変換する。
Ａ／Ｄ変換器２３は、撮像部２２から出力されるアナログ信号をデジタル信号に変換するために用いられる。バリア１０２は、デジタルカメラ１００の、撮影レンズ１０３を含む撮像系を覆うことにより、撮影レンズ１０３、シャッター１０１、撮像部２２を含む撮像系の汚れや破損を防止する。
【００１２】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１３】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１４】
また、メモリ３２は、画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データは、Ｄ／Ａ変換器１３を介して表示部２８により表示される。
表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号を、Ｄ／Ａ変換器１３においてアナログ変換する。そして、表示部２８に逐次転送して表示することで、電子ビューファインダとして機能し、スルー画像表示（ライブビュー表示）を行うことができる。
【００１５】
不揮発性メモリ５６は、電気的に消去・記録可能な記録媒体としてのメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのコンピュータプログラムのことである。
【００１６】
システム制御部５０は、デジタルカメラ１００全体を制御する。前述した不揮発性メモリ５６に記録されたプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００１７】
システムタイマー５３は、各種制御に用いる時間や、内蔵された時計の時間を計測する計時部である。
モード切替スイッチ６０、シャッターボタン６１、操作部７０はシステム制御部５０に各種の動作指示を入力するための操作手段である。
モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。
【００１８】
モード切替スイッチ６０で、メニューボタンに含まれるこれらのモードのいずれかに直接切り替えられる。あるいは、モード切替スイッチ６０でメニューボタンに一旦切り換えた後に、メニューボタンに含まれるこれらのモードのいずれかに、他の操作部材を用いて切り替えるようにしてもよい。同様に、動画撮影モードにも複数のモードが含まれていてもよい。第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００１９】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２０】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、種別変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００２１】
コントローラホイール７３は、操作部７０に含まれる回転操作可能な操作部材であり、方向ボタンと共に選択項目を指示する際などに使用される。コントローラホイール７３を回転操作すると、操作量に応じて電気的なパルス信号が発生し、このパルス信号に基づいてシステム制御部５０はデジタルカメラ１００の各部を制御する。このパルス信号によって、コントローラホイール７３が回転操作された角度や、何回転したかなどを判定することができる。
なお、コントローラホイール７３は、回転操作が検出できる操作部材であればどのようなものでもよい。例えば、ユーザーの回転操作に応じてコントローラホイール７３自体が回転してパルス信号を発生するダイヤル操作部材であってもよい。また、タッチセンサよりなる操作部材で、コントローラホイール７３自体は回転せず、コントローラホイール７３上でのユーザーの指の回転動作などを検出するものであってもよい（いわゆる、タッチホイール）。
【００２２】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２３】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ/Ｆ１８は、メモリカードやハードディスク等の記録媒体２００とのインターフェースである。記録媒体２００は、撮影された画像を記録するためのメモリカード等の記録媒体であり、半導体メモリや光ディスク、磁気ディスク等から構成される。
【００２４】
通信部５４は、無線または有線ケーブルによって接続し、映像信号や音声信号等の送受信を行う。通信部５４は、無線ＬＡＮ（Local Area Network）やインターネットとも接続可能である。通信部５４は、撮像部２２で撮像した画像（スルー画像を含む）や、記録媒体２００に記録された画像を送信可能であり、また、外部機器から画像データやその他の各種情報を受信することができる。
【００２５】
姿勢検知部５５は、重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加したり、画像を回転して記録することが可能である。姿勢検知部５５としては、加速度センサーやジャイロセンサーなどを用いることができる。
【００２６】
［再生モード処理について］
図３は、本実施形態のデジタルカメラ１００の再生モードの動作を説明するフローチャートである。
Ｓ３０１において、システム制御部５０は、記録媒体２００から最新画像を取得して表示部２８に表示する。
Ｓ３０２において、システム制御部５０は、デジタルカメラ１００の使用者の操作を判定する。Ｓ３０２でユーザーの操作が、画像投稿先の選択指示であると判定したときはＳ３０３に進み、投稿先の選択画面を表示する。このＳ３０３において行われる投稿先の選択画面表示処理では、例えば、図４に示す投稿サイト選択画面を表示する。
【００２７】
図４において、４０１は動画投稿サイトを選択するＧＵＩボタン、４０２は静止画投稿サイトを選択するＧＵＩボタン、４０３は全画像投稿サイトを選択するＧＵＩボタンを表している。デジタルカメラ１００の使用者は、操作部７０を操作して、４方向ボタンで所望のＧＵＩボタンにカーソルを合わせる。そして、ＳＥＴボタンを押下するか、所望のＧＵＩボタンをタッチ（以下、ＧＵＩボタンの押下、あるいは選択と記載する場合はこれらの操作であるものとする）することで、所望の画像投稿先を選択することが可能である。ここでは、動画投稿サイト４０１は、動画像のみアップロードすることが可能なサイトであり、静止画投稿サイト４０２は、静止画のみアップロードすることが可能なサイトである。また、全画像投稿サイト４０３は、動画像と静止画像の両方をアップロードすることが可能なサイトである。実際には、投稿サイトのサイト名が表示される。
【００２８】
Ｓ３０４において、システム制御部５０は、送信する画像をどのようにして選択するかを決定するための画面を表示する。Ｓ３０４では、例えば図５の（ａ）に示す画面を表示する。「選んで送信」ボタン５０１は、送信する画像を選んで送信するためのボタンで、「この画像を送信」ボタン５０３は、表示している画像５０２をＳ３０３で選択した画像投稿サイトにアップロードするためのボタンである。
【００２９】
図５の（ａ）で、「選んで送信」ボタン５０１が選択されたときは、システム制御部５０は、図５の（ｂ）に示す画面を表示する。「画像指定」ボタン５０４は、デジタルカメラ１００の使用者が画像投稿サイトにアップロードする画像を１枚１枚選択することをデジタルカメラ１００に指示するためのボタンであり、このボタンが押されたときの処理はここでは特に説明しない。「範囲で指定」ボタン５０５は、記録媒体２００に記録されている画像のうち、５番目に記録された画像から８番目に記録された画像を送信するなどの範囲指定をデジタルカメラ１００に指示するためのボタンである。
【００３０】
Ｓ３０５で、システム制御部５０は、図５の（ｂ）の「範囲で指定」ボタン５０５が押されたと判定したときは、Ｓ３０６に進み範囲指定処理を行う。このＳ３０６で行われる範囲指定処理は、図６のフローチャートを用いて後述する。一方、システム制御部５０は、Ｓ３０５で図５の（ａ）の「この画像を送信」ボタン５０３、および図５の（ｂ）の「画像指定」ボタン５０４が押されたと判定したときは、Ｓ３０７に進み、操作に応じた処理を行う。
【００３１】
システム制御部５０は、Ｓ３０２でデジタルカメラ１００の使用者がコマ送り操作を行ったと判定したときは、Ｓ３０８に進み次の画像の表示処理を行う。このＳ３０８のコマ送りは広く知られており、ここではとくに説明しない。また、システム制御部５０は、Ｓ３０２で、その他の操作が行われたと判定したときは、Ｓ３０９に進んでその操作に応じた処理を行う。
Ｓ３１０で、システム制御部５０は、再生終了か否かを判定する。例えば、モード切替スイッチ６０により他のモードへの切替が行われた場合や、電源スイッチ７２がＯＦＦにセットされたと判定したときは再生処理を終了する。一方、Ｓ３１０で再生処理を終了しないと判定したきはＳ３０２に戻る。
【００３２】
［範囲指定処理について（Ｓ３０６）］
図６は、本実施形態のデジタルカメラ１００の範囲指定処理の動作を説明するフローチャートである。図６のフローチャートは、図３のＳ３０６の詳細を示している。
システム制御部５０は、Ｓ６０１において、選択した投稿先がどの種別のファイル（画像）をアップロード（投稿）可能であるかを判別する。どの種別のファイルをアップロード可能であるかは、予め不揮発性メモリ５６に、投稿先に関連付けて記憶されているものとする。なお、ネットワークと通信して投稿先の情報（投稿可能ファイル種別を含む）を投稿先のサーバーから取得することによって判別しても良い。Ｓ６０１では、図３のＳ３０３、および図４の投稿先の選択画面で、デジタルカメラ１００の使用者が選択した画像投稿サイトについて、どの種別のファイルを投稿（送信）可能であるかを判別する。
【００３３】
図４の全画像投稿サイト４０３が選択された場合は、Ｓ６０１で、システム制御部５０は動画と静止画の両方ともアップロード可能であると判定する。そして、システム制御部５０は処理をＳ６０２に進め、「動画含む」チェックボックスつきの範囲指定画面を表示する。図７（ａ）に、Ｓ６０２で表示する画面の一例を示す。
【００３４】
図７（ａ）の７０１、７０２は始点画像の情報である。７０１は始点画像の番号を表しており、図７（ａ）の例では５番目に撮影した画像であることを示すために５を表示している。７０２は、５番目に撮影した画像を、画像として表示しているエリアである。７０３、７０４は終点画像の情報である。７０３は終点画像の番号を表しており、図７では８番目に撮影した画像であることを示すために８を表示している。７０４は、８番目に撮影した画像を、画像として表示しているエリアである。７０５は、始点画像から終点画像の範囲まで、何枚の画像が含まれているかを表す送信画像枚数の表示欄である。図７（ａ）の例では５番目、６番目、７番目、８番目に撮影した画像の４枚が含まれていることを表している。
【００３５】
図７（ａ）の７０６は、動画含むチェックボックスであり、始点画像７０２から終点画像７０４までの範囲に含まれている動画像を選択するかどうかを選択するものである。たとえば、図７（ｃ）において７番目に撮影した画像が動画像であり、動画含むチェックボックス７０６がオフの場合には、７番目の画像は送信する画像には含まれなくなる。そのため、範囲指定で含まれる画像は５番目、６番目、８番目に撮影した画像の３枚となり、送信画像枚数の表示欄７０５で表示する送信画像枚数も３枚に変更になる。
【００３６】
図７（ａ）の７０７は送信ボタンであり、この送信ボタン７０７をデジタルカメラ１００の使用者が押下すると、以下のように動作する。始点画像７０２から終点画像７０３の範囲に含まれる画像であって、さらに動画含むチェックボックス７０６で動画を含むかどうかの条件に合致する画像を、図３のＳ３０３で選択した画像投稿サイトにアップロードする。７０８は操作部７０のＳＥＴボタンを押すと始点画像選択画面を表示することを表すガイダンスである。この始点画像選択画面の一例を、図７（ｃ）を用いて後述する。７０９は、操作部７０のＭＥＮＵボタンを押すと、範囲指定画面を終了することを表すガイダンスである。
【００３７】
システム制御部５０は、選択した画像投稿先が、たとえば図４の動画投稿サイト４０１、あるいは静止画投稿サイト４０２である場合は、Ｓ６０１で、動画像もしくは静止画しか投稿できないサイトであると判別し、Ｓ６０３に進む。
Ｓ６０３では「動画含む」チェックボックス無しの範囲指定画面を表示する。このＳ６０３で表示する画面の一例を図７（ｂ）に示す。その理由は、動画しかアップロードできない画像投稿サイトには動画しか送信しない。そのため、「動画含む」チェックボックスは表示する意味がなく、また静止画しかアップロードできないサイトには静止画しか送信しないため「動画含む」チェックボックスを表示する意味がないからである。このように、不要なボタンを表示しないことにより、使い勝手のよいデジタルカメラを提供することが可能となる。
【００３８】
システム制御部５０は、Ｓ６０４において操作を判別し、図７（ａ）の動画含むチェックボックス７０６を変更されたときはＳ６０５に進み、「動画含む」フラグのオン／オフを切り替える。一方、Ｓ６０４で始点／終点画像変更が行われたときはＳ６０６に進み、始点／終点画像の変更処理を行う。この始点画像選択画面の一例を、図７（ｃ）を用いて後述する。
一方、Ｓ６０４で送信ボタンが押されたときは、始点から終点画像の範囲に含まれる画像を送信する。ただし、Ｓ６０５で「動画含む」フラグをオフにしていた場合は、指定された範囲に含まれている画像のうち、静止画だけを送信する。
【００３９】
図７（ｃ）は、始点画像変更画面の一例を示す図である。図７（ｃ）は、図６のＳ６０６の始点／終点画像の変更処理で表示される画面を表している。
図７（ｃ）において、７１１は、始点画像に設定されている画像である。７１２は、始点画像を選択中であることを示すガイダンスであり、終点画像を選択中のときは「終点画像選択」というガイダンスが表示される。７１３は、ＳＥＴボタン押下で表示中の画像が始点画像に設定されることを示すガイダンスである。７１４は、ＭＥＮＵボタンを押下すると、図６のＳ６０２、Ｓ６０３で表示した範囲指定画面（図７（ａ）、図７（ｂ））に戻ることを示すガイダンスである。
【００４０】
図７（ｃ）の画面を表示中に、デジタルカメラ１００の使用者が、操作部７０の４方向ボタンの右ボタンか左ボタンを押下すると、システム制御部５０は、表示画像をコマ送りする。たとえば、５番目に記録した画像を表示中に、右ボタンが押された場合は６番目に記録した画像を表示し、左ボタンが押された場合は４番目の画像を表示する。また、図６のＳ６０５で「動画含む」チェックボックスをオフにしたときには、動画像を飛ばしてコマ送りするように構成する。このように、投稿サイトにアップロードすることのできる画像のみを表示するため、使い勝手のよいデジタルカメラを提供することが可能となる。
【００４１】
以上説明したように、本実施形態においては、図７（ａ）の動画含むチェックボックス７０６を設け、動画を含めるかどうかを設定可能にすることによって、簡単な操作で静止画だけを画像投稿サイトに送ることが可能となる。また、動画像を含めて範囲指定することにより、画像の前後関係が分かりやすくなるという利点もある。なぜなら、動画像は子供などの大切な被写体が写っていることが多く、その前後に撮影された静止画も、同様に大切な被写体が写っている可能性が高いからである。しかし、画像サイズの大きい動画像は、投稿サイトに送りたくないこともある。そこで、画像の範囲指定は動画像も含めて行うことによって、所望の範囲の選択を容易にし、送信時には動画像を含めないことによって、所望の画像だけを投稿サイトに送るといった使い方が可能になる。
【００４２】
図７（ａ）の７０６では、動画含むチェックボックスを表示したが、ファイルの種別指定を可能とするものであれば、どのようなものでもかまわない。たとえば、ＲＡＷ画像を含めるかどうかを切り替えるようにしてもよい。あるいは、所定の記録時間以上（たとえば６０秒など）記録された動画を含めるかどうかを切り替えるようにしてもよい。あるいは、画像ファイルサイズが所定より大きなもの（たとえば１Gbyteなど）を含めるかどうかを切り替えるようにしてもよい。あるいは、静止画を含めるかどうかを切り替えるようにして、静止画を含めないときは、動画像だけを選択するように構成してもよい。
前述のように、本実施形態においては選択された投稿先に合わせて、選択肢として表示される画像種別を異ならせ、所望の画像種別指定を行うことができるようにしている。
【００４３】
前述した実施形態では、画像送信の例を示したが、選択した画像に対して同一の処理を行うものであれば、どのようなものでもかまわない。たとえばスライドショー、画像削除、画像保護、画像回転、画像印刷などに本発明を適用してもかまわない。
【００４４】
なお、システム制御部５０の制御は１つのハードウェアが行ってもよいし、複数のハードウェアが処理を分担することで、装置全体の制御を行ってもよい。
【００４５】
また、本発明をその好適な実施形態に基づいて詳述してきたが、本発明はこれら特定の実施形態に限られるものではなく、この発明の要旨を逸脱しない範囲の様々な形態も本発明に含まれる。
【００４６】
前述した実施形態においては、本発明をデジタルカメラに適用した場合を例にして説明したが、これはこの例に限定されず、画像再生が可能な装置に適用可能である。すなわち、本発明はデジタルビデオカメラ、パーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダーなどに適用可能である。
【００４７】
（その他の実施例）
本発明は、前述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４８】
７０１  始点画像の番号
７０２  始点画像を表示しているエリア
７０３  終点画像の番号
７０４  終点画像を表示しているエリア
７０５  送信画像枚数の表示欄
７０６  チェックボックス
７０７  送信ボタン
７０８  始点画像選択画面を表示することを表すガイダンス
７０９  範囲指定画面を終了することを表すガイダンス
【図１】
0006460785.tif 000002
【図２】
0006460785.tif 000003
【図３】
0006460785.tif 000004
【図４】
0006460785.tif 000005
【図５】
0006460785.tif 000006
【図６】
0006460785.tif 000007
【図７】
0006460785.tif 000008